(57)【要約】【課題】組み立てに手間がかからず、短時間で、扁平状態から中仕切を有する箱状にワンタッチで形成することができる包装容器を提供する。【解決手段】一方の側板片１２と、一方の妻板片１４と、他方の側板片１６と、他方の妻板片１８と、一方の側板片１２への糊代片２０と、他方の妻板片１８に相応した幅の中仕切片２２と、他方の側板片１６への糊代片２４とを、各辺の境界部を折り曲げ可能に隣接して配置し、一方の側板片１２への糊代片２０と、中仕切片２２と、他方の側板片１６への糊代片２４とを内側にして折り畳み、一方の側板片１２への糊代片２０と、他方の側板片１６への糊代片２４とをそれぞれの側板片１２、１６の内側面に貼着すると共に、一方の妻板片１４及び他方の妻板片１８の底辺側にそれぞれ嵌合切欠き部を有する底板片３０、３２を折曲げ可能に隣接して配置し、一方の側板片１２及び他方の側板片１６の底辺側より折り曲げ可能に突出させた突出片をそれぞれの隣接する底板片と貼着した。【選択図】図１
2009269644.tif 000002
【特許請求の範囲】
【請求項１】
一方の側板片と、一方の妻板片と、他方の側板片と、他方の妻板片と、一方の側板片への糊代片と、他方の妻板片に相応した幅の中仕切片と、他方の側板片への糊代片とを、各辺の境界部を折り曲げ可能に隣接して配置し、
前記一方の側板片への糊代片と、中仕切片と、他方の側板片への糊代片とを内側にして折り畳み、前記一方の側板片への糊代片と、他方の側板片への糊代片とをそれぞれの側板片の内側面に貼着すると共に、
前記一方の妻板片及び他方の妻板片の底辺側にそれぞれ嵌合切欠き部を有する底板片を折曲げ可能に隣接して配置し、
前記一方の側板片及び他方の側板片の底辺側より折り曲げ可能に突出させた突出片をそれぞれの隣接する底板片と貼着したことを特徴とする包装容器。
【請求項２】
一方の側板片と、一方の妻板片と、他方の側板片と、他方の妻板片と、一方の側板片への糊代片と、他方の妻板片の幅よりも狭く、中仕切用側板片を折り曲げ可能に有する中仕切片と、他方の妻板片への糊代片とを、各辺の境界部を折り曲げ可能に隣接して配置し、
前記一方の側板片への糊代片と、中仕切片と、他方の妻板片への糊代片とを内側にして折り畳み、前記一方の側板片への糊代片と、他方の妻板片への糊代片とをそれぞれ一方の側板片及び他方の妻板片の内側面に貼着すると共に、
前記一方の妻板片及び他方の妻板片の底辺側にそれぞれ嵌合切欠き部を有する底板片を折曲げ可能に隣接して配置し、
前記一方の側板片及び他方の側板片の底辺側より折り曲げ可能に突出させた突出片をそれぞれの隣接する底板片と貼着したことを特徴とする包装容器。
【請求項３】
請求項１または２において、
前記中仕切片は、前記底板片の奥行き幅相当分下部側が短く形成されていることを特徴とする包装容器。
【請求項４】
請求項１記載の包装容器の製造方法であって、
中仕切片を他方の妻板片上に折り曲げる工程と、
一方及び他方の妻側片に隣接して配置した底板片をそれぞれの妻側片上に折り曲げる工程と、
各底板片の各突出片との隣接部を各突出片に対応させて斜めに各底板片上に折り曲げ、各突出片を各側板片上に折り曲げる工程と、
他方の側板片への糊代片と各突出片に接着剤を塗布して、他方の妻板片を一方の妻板片上に折り曲げる工程と、
一方の側板片を一方の側板片への糊代片側に折り曲げて一方の側板片への糊代片に接着剤を塗布して、他方の側板片への糊代片と他方の側板片、各突出片と各底板片の突出片との隣接部、及び一方の側板片と一方の側板片への糊代片を圧着する工程と、
接着完了後に扁平状態から各側板片を立て箱状に起こすことで、前記底板片の嵌合固定と、前記中仕切の組み立てを同時に行う工程と、
を含むことを特徴とする包装容器の製造方法。
【請求項５】
請求項２記載の包装容器の製造方法であって、
中仕切片を他方の妻板片上に折り曲げる工程と、
一方及び他方の妻側片に隣接して配置した底板片をそれぞれの妻側片上に折り曲げる工程と、
各底板片の各突出片との隣接部を各突出片に対応させて斜めに各底板片上に折り曲げ、各突出片を各側板片上に折り曲げる工程と、
他方の妻板片への糊代片と各突出片に接着剤を塗布して、他方の妻板片を一方の妻板片上に折り曲げる工程と、
一方の側板片を一方の側板片への糊代片側に折り曲げて一方の側板片への糊代片に接着剤を塗布して、他方の妻板片への糊代片と他方の妻板片、各突出片と各底板片の突出片との隣接部、及び一方の側板片と一方の側板片への糊代片を圧着する工程と、
接着完了後に扁平状態から各側板片を立て箱状に起こすことで、前記底板片の嵌合固定と、前記中仕切の組み立てを同時に行う工程と、
を含むことを特徴とする包装容器の製造方法。
【発明の詳細な説明】
【技術分野】
【０００１】
本発明は、扁平状態からワンタッチで中仕切を有する箱状に形成できる包装容器及び包装容器の製造方法に関する。
【背景技術】
【０００２】
一般に、包装容器として、ワンタッチで組み立て可能なボトムロック式の包装容器が知られている。
【０００３】
このようなボトムロック式の包装容器は、扁平に折り畳んだ状態からワンタッチで角筒状に起こした際、一対の底板片の嵌合切欠きが互いに嵌合して、包装容器の底部に固定されて、箱形状が維持されるようになっている（特許文献１参照）。
【特許文献１】特開２００６−６９５６６号公報
【発明の開示】
【発明が解決しようとする課題】
【０００４】
一般的な化粧箱においては、内部に中仕切を設けるようにしたものもあるが、前述のような扁平に折り畳んだ状態から箱状にワンタッチで形成するボトムロック式の包装容器においては、一般的には、内部に中仕切を設けていなかった。
【０００５】
このようなボトムロック式の包装容器において、仮に、中仕切を設けようとする場合に、包装容器を組み立てたあと中仕切を挿入するようにすると、折角ワンタッチで短時間に包装容器を組み立てることができるのに中仕切挿入に時間を要することとなってしまう。
【０００６】
本発明の目的は、組み立てに手間がかからず、短時間で、扁平状態から中仕切を有する箱状にワンタッチで形成することができる包装容器及び包装容器の製造方法を提供することにある。
【課題を解決するための手段】
【０００７】
（１）前記目的を達成するため、本発明の包装容器は、一方の側板片と、一方の妻板片と、他方の側板片と、他方の妻板片と、一方の側板片への糊代片と、他方の妻板片に相応した幅の中仕切片と、他方の側板片への糊代片とを、各辺の境界部を折り曲げ可能に隣接して配置し、前記一方の側板片への糊代片と、中仕切片と、他方の側板片への糊代片とを内側にして折り畳み、前記一方の側板片への糊代片と、他方の側板片への糊代片とをそれぞれの側板片の内側面に貼着すると共に、前記一方の妻板片及び他方の妻板片の底辺側にそれぞれ嵌合切欠き部を有する底板片を折曲げ可能に隣接して配置し、前記一方の側板片及び他方の側板片の底辺側より折り曲げ可能に突出させた突出片をそれぞれの隣接する底板片と貼着したことを特徴とする。
【０００８】
本発明によれば、一方の側板片への糊代片に隣接して中仕切片を設けこの中仕切片に隣接して他方の側板片への糊代片を形成すると共に、各底板片に嵌合切欠き部を形成することで、扁平状態で内部に中仕切を有し、扁平状態から箱状にワンタッチで形成でき、しかも全幅に渡る中仕切も同時に組み立てることができる。
【０００９】
したがって、組み立てに手間がかからず、組み立て時間も短縮することが可能となる。
【００１０】
（２）本発明の他の包装容器は、一方の側板片と、一方の妻板片と、他方の側板片と、他方の妻板片と、一方の側板片への糊代片と、他方の妻板片の幅よりも狭く、中仕切用側板片を折り曲げ可能に有する中仕切片と、他方の妻板片への糊代片とを、各辺の境界部を折り曲げ可能に隣接して配置し、前記一方の側板片への糊代片と、中仕切片と、他方の妻板片への糊代片とを内側にして折り畳み、前記一方の側板片への糊代片と、他方の妻板片への糊代片とをそれぞれ一方の側板片及び他方の妻板片の内側面に貼着すると共に、前記一方の妻板片及び他方の妻板片の底辺側にそれぞれ嵌合切欠き部を有する底板片を折曲げ可能に隣接して配置し、前記一方の側板片及び他方の側板片の底辺側より折り曲げ可能に突出させた突出片をそれぞれの隣接する底板片と貼着したことを特徴とする。
【００１１】
本発明によれば、一方の側板片への糊代片に隣接して他方の妻板片の幅よりも狭く中仕切用側板片を折り曲げ可能に有する中仕切片を設け、この中仕切片に隣接して他方の妻板片への糊代片を形成すると共に、各底板片に嵌合切欠き部を形成することで、扁平状態で内部に中仕切を有し、扁平状態から箱状にワンタッチで形成でき、しかも幅狭の中仕切も同時に組み立てることができる。
【００１２】
したがって、組み立てに手間がかからず、組み立て時間も短縮することが可能となる。
【００１３】
（３）これらの包装容器においては、前記中仕切片は、前記底板片の奥行き幅相当分下部側を短く形成することができる。
【００１４】
このような構成とすることにより、底板片が中仕切片と干渉するのを防止して、組み立てを容易、確実にすることができる。
【００１５】
（４）本発明の包装容器の製造方法は、（１）記載の包装容器の製造方法であって、中仕切片を他方の妻板片上に折り曲げる工程と、一方及び他方の妻側片に隣接して配置した底板片をそれぞれの妻側片上に折り曲げる工程と、各底板片の各突出片との隣接部を各突出片に対応させて斜めに各底板片上に折り曲げ、各突出片を各側板片上に折り曲げる工程と、他方の側板片への糊代片と各突出片に接着剤を塗布して、他方の妻板片を一方の妻板片上に折り曲げる工程と、一方の側板片を一方の側板片への糊代片側に折り曲げて一方の側板片への糊代片に接着剤を塗布して、他方の側板片への糊代片と他方の側板片、各突出片と各底板片の突出片との隣接部、及び一方の側板片と一方の側板片への糊代片を圧着する工程と、接着完了後に扁平状態から各側板片を立て箱状に起こすことで、前記底板片の嵌合固定と、前記中仕切の組み立てを同時に行う工程とを含むことを特徴とする。
【００１６】
本発明によれば、（１）記載の包装容器を確実に製造することができる。
【００１７】
（５）本発明の他の包装容器の製造方法は、（２）記載の包装容器の製造方法であって、中仕切片を他方の妻板片上に折り曲げる工程と、一方及び他方の妻側片に隣接して配置した底板片をそれぞれの妻側片上に折り曲げる工程と、各底板片の各突出片との隣接部を各突出片に対応させて斜めに各底板片上に折り曲げ、各突出片を各側板片上に折り曲げる工程と、他方の妻板片への糊代片と各突出片に接着剤を塗布して、他方の妻板片を一方の妻板片上に折り曲げる工程と、一方の側板片を一方の側板片への糊代片側に折り曲げて一方の側板片への糊代片に接着剤を塗布して、他方の妻板片への糊代片と他方の妻板片、各突出片と各底板片の突出片との隣接部、及び一方の側板片と一方の側板片への糊代片を圧着する工程と、接着完了後に扁平状態から各側板片を立て箱状に起こすことで、前記底板片の嵌合固定と、前記中仕切の組み立てを同時に行う工程とを含むことを特徴とする。
【００１８】
本発明によれば、（２）記載の包装容器を確実に製造することができる。
【発明を実施するための最良の形態】
【００１９】
以下、本発明の実施の形態について、図面を参照して説明する。
【００２０】
図１〜図６は、本発明の一実施の形態にかかる包装容器を示す図である。
【００２１】
図１は本実施の形態にかかる包装容器の斜視図、図２はその展開図、図３〜図６は包装容器の製造方法を示す図である。
この包装容器１０は、一方の側板片１２と、一方の妻板片１４と、他方の側板片１６と、他方の妻板片１８と、一方の側板片１２への糊代片２０と、他方の妻板片１８に相応した幅の中仕切片２２と、他方の側板片１６への糊代片２４とを、各辺の境界部を折り曲げ可能に図中左側から右側に隣接して配置している。
【００２２】
中仕切片２２は、底板片３０、３２の幅相当分下部側を短く形成して、底板片３０、３２が中仕切片２２と干渉するのを防止して、組み立てを容易、確実にすると共に、上部側を若干短めにしている。
【００２３】
中仕切片２２の両側に位置する糊代片２０、２４は、中仕切片２２が組み立て時に両妻板片１４、１８の中間に位置するように、両側板片１２、１６の奥行き幅よりも狭く形成されている。
また、一方の妻板片１４及び他方の妻板片１８の底辺側に、それぞれ嵌合切欠き部２６、２８を有する底板片３０、３２を折曲げ可能に隣接して配置すると共に、一方の側板片１２及び他方の側板片１６の底辺側より突出片３４、３６を折り曲げ可能に突出させている。
各底板片３０、３２の各突出片３４、３６との隣接部３８、４０を各突出片３４、３６に対応させて斜めに折り曲げ可能にしている。
さらに、一方の妻板片１２の上辺側には、蓋片４２が折曲げ可能に配置されている。
この蓋片４２には、指を挿入して蓋片４２を開放するための操作孔４４が形成され、中仕切片２２の操作孔４４対応位置には、指があたらないように切欠き４６が設けられている。
そして、一方の側板片１２への糊代片２０と、中仕切片２２と、他方の側板片１６への糊代片２４とを内側にして折り畳み、一方の側板片１２への糊代片２０と、他方の側板片１６への糊代片２４とをそれぞれの側板片１２、１６の内側面に貼着すると共に、一方の側板片１２及び他方の側板片１６より突出させた突出片３４、３６をそれぞれの隣接する底板片３０、３２の隣接部３８、４０と貼着するようにしている。
このように、一方の側板片１２への糊代片２０に隣接して中仕切片２２を設け、この中仕切片２２に隣接して他方の側板片１６への糊代片２４を形成すると共に、各底板片３０、３２に嵌合切欠き部２６、２８を形成することで、扁平状態の包装容器１０の側板片１２、１６を起こせば嵌合切欠き部２６、２８が嵌合して、扁平状態から箱状にワンタッチで形成でき、しかも、全幅に渡る中仕切も同時に組み立てることができることとなり、組み立てに手間がかからず、組み立て時間も短縮することが可能となる。
次に、図３〜図６を参照して、包装容器１０の製造方法について説明する。
まず、展開状態から、図４に示すように、中仕切片２２を他方の妻板片１８上に折り曲げる。
次に、図４に示すように、一方及び他方の妻側片１４、１８に隣接して配置した底板片３０、３２をそれぞれの妻側片１４、１８上に折り曲げる。
次いで、各底板片３０、３２の各突出片３４、３６との隣接部３８、４０を各突出片３４、３６に対応させて斜めに各底板片３０、３２上に折り曲げ、各突出片３４、３６を各側板片１２、１６上に折り曲げる。
次に、他方の側板片１６への糊代片２４と各突出片３４、３６に接着剤を塗布して、図５に示すように、他方の妻板片１８を一方の妻板片１４上に折り曲げる。
次いで、一方の側板片１２を一方の側板片１２への糊代片２０側に折り曲げて、一方の側板片１２への糊代片２０に接着剤を塗布して、図６に示すように、他方の側板片１６への糊代片２４と他方の側板片１６、各突出片３４、３６と各底板片３０、３２の突出片３４、３６との隣接部３８、４０、及び一方の側板片１２と一方の側板片１２への糊代片２０を圧着する。
そして、接着完了後に扁平状態から各側板片１２、１６を立て、箱状に起こすことで、底板片３０、３２の嵌合固定と、中仕切片２２の組み立てを同時に行うことができる。
図７及び図８は、本発明の他の実施の形態にかかる包装容器を示す図である。
この実施の形態にかかる包装容器１０は、中仕切片５０が他方の妻板片１８の幅よりも狭く、中仕切用側板片５２を折り曲げ可能に有し、この中仕切用側板片５２に隣接して他方の妻板片１８への糊代片５４が設けられ、この他方の妻板片１８への糊代片５４が他方の妻板片１８に接着される点で、前記実施の形態と相違している。
また、他方の妻板片１８への糊代片５４が他方の妻板片１８に接着される点で、中仕切用側板片５２が折り曲げられて、他方の妻板片１８への糊代片５４が他方の妻板片１８に接着可能にされるようになっている。
これによって、前記実施の形態における中仕切片２２とは異なり、幅狭の中仕切片５０を形成することができることとなる。
本実施の形態における包装容器及び包装容器の製造方法の構成及び作用は、前記相違点を除き、前記実施の形態と同様につき、前記実施の形態と同様の部分には同一符号を付すにとどめ、重複説明を省略する。
本発明は、前記実施の形態に限定されるものではなく、本発明の要旨の範囲内において種々の形態に変形可能である。
例えば、前記実施の形態では、一方の側板片から他方の側板片への糊代片または他方の妻板片への糊代片までを図中左側から右側へと隣接するようにしているが、この例に限らず、右側から左側へと隣接するようにすることも可能である。
【図面の簡単な説明】
【００２４】
【図１】本発明の一実施の形態にかかる包装容器の斜視図である。
【図２】図１の包装容器の展開図である。
【図３】中仕切片を折り曲げた状態を示す平面図である。
【図４】図３の状態から手で位板部、突出片及び隣接部を折り曲げた状態を示す平面図である。
【図５】図４の状態から他方の妻板片を折り曲げた状態を示す平面図である。
【図６】図４の状態から一方の側板片を折り曲げた状態を示す平面図である。
【図７】本発明の他の実施の形態にかかる包装容器の斜視図である。
【図８】図７の包装容器の展開図である。
【符号の説明】
【００２５】
１０  包装容器
１２  一方の側板片
１４  一方の妻板片
１６  他方の側板片
１８  他方の妻板片
２０  一方の側板片への糊代片
２２、５０  中仕切片
２４  他方の側板片への糊代片
２６、２８  嵌合切欠き部
３０、３２  底板片
３４、３６  突出片
３８、４０  隣接部
５２  中仕切用側板片
【図１】
2009269644.tif 000003
【図２】
2009269644.tif 000004
【図３】
2009269644.tif 000005
【図４】
2009269644.tif 000006
【図５】
2009269644.tif 000007
【図６】
2009269644.tif 000008
【図７】
2009269644.tif 000009
【図８】
2009269644.tif 000010